(57)【要約】    【課題】サンドイッチパネル上にＶ字状の溝を形成し、かつ容易に曲げることが可能なコア及びこれを使用したサンドイッチパネルを提供する。    【解決手段】金属プレート１に対し、パンチャー１０１及びダイ１０２を備える絞りダイ１００を使用した深絞り加工の手段によりプレスをかけ、円錐状、楕円形円錐状又はピラミッド状の窪み部から選択した、平坦な底面９を有する複数の窪み部２を金属プレート１上に形成する。金属プレート１の上面又は下面のいずれかのみに窪み部２を形成するか、あるいはこれらの双方に上側及び下側の窪み部２，２’を交互に形成して、深絞りコア６を形成する。得られたコア６の上面及び下面に接着層３，３’を積層し、この積層体に典型的なプロセスに従って加熱プレスを施して、サンドイッチパネルを作製する。【選択図】  図１ａ
2007032258.tif 000002
【特許請求の範囲】
【請求項１】
パンチャー及びダイを含んで構成される絞りダイを使用した深絞り加工の手段により金属プレートにプレスをかけて、この金属プレート上に、平坦な底面を有する複数の窪み部を形成し、
前記複数の窪み部を、金属プレートの上面又は下面のいずれかのみの方向に一定の間隔で沈み込ませるか、あるいは前記複数の窪み部としての上側窪み部及び下側窪み部を、上方又は下方に交互に一定の間隔で沈み込ませて形成された深絞りコア。
【請求項２】
請求項１に記載の深絞りコアに対し、その上面及び下面に、熱硬化性樹脂又は熱塑性樹脂から選択したいずれかの樹脂により形成した上側接着層及び下側接着層を積層するとともに、これらの接着層上に、金属又は非金属のプレートから選択したいずれかのプレートにより形成した上側プレート及び下側プレートを積層し、更にこの積層体に加熱プレスを施して形成された、深絞りコアを使用したサンドイッチパネル。
【請求項３】
前記金属プレートがアルミニウムプレート、錫コーティングプレート、亜鉛コーティングプレート、ステンレス鋼プレートから選択したいずれかの金属プレートである請求項１に記載の深絞りコア。
【請求項４】
前記窪み部が円錐状若しくは楕円形円錐状の窪み部、又は三方錐、正方錐若しくは八方錐のピラミッド状の窪み部から選択したいずれかの窪み部である請求項１に記載の深絞りコア。
【請求項５】
前記熱硬化性樹脂がエポキシ樹脂であり、前記熱塑性樹脂がホットメルトタイプのポリエチレン、酢酸ビニル又はエチレン‐酢酸ビニル樹脂から選択したいずれかの樹脂である請求項２に記載のサンドイッチパネル。
【請求項６】
前記金属プレートがアルミニウムプレート、ステンレス鋼プレート又はチタニウムプレートから選択したいずれかのプレートである請求項２に記載のサンドイッチパネル。
【請求項７】
前記非金属プレートがフェノール、メラミン若しくは尿素樹脂プレート又はガラス繊維強化プラスチックプレートから選択したいずれかのプレートである請求項２に記載のサンドイッチパネル。
【発明の詳細な説明】
【技術分野】
【０００１】
本発明は、深絞り加工により製造されるサンドイッチパネルの深絞りコア、及び構造装飾用のサンドイッチパネルに関し、詳細には、金属プレートの上側若しくは下側のいずれか一面又はこれらの双方に、円錐状、楕円形円錐状又はピラミッド状の窪み部から選択した複数の窪み部を、絞りダイを使用した深絞り加工により形成することにより得られる深絞りコア、あるいはこの得られた深絞りコアを使用することによる、サンドイッチパネルの典型的な作製プロセスにより製造された構造装飾用のサンドイッチパネルに関する。
【背景技術】
【０００２】
従来、構造装飾用のサンドイッチパネルは、フォーム状若しくは非フォーム状のポリエチレンシートコア等のプラスチックシートコアから選択されたいずれかのコア、図７に示すハニカムコア５、又は図８に示す波形コア５の上面及び下面に接着層３，３’を形成し、これに金属又は非金属のプレート４，４’を積層し、ならびに得られた積層体に加熱プレスを施すことにより製造されてきた。
【発明の開示】
【発明が解決しようとする課題】
【０００３】
しかしながら、サンドイッチパネルがプラスチックシートコアにより製造される場合においては、プラスチックシートコアが熱により容易に溶解又は燃焼し、これにより有毒ガスを発生させることから、これらは、不燃性の構造材が必要とされる用途には、事実上適当ではない。
他方、サンドイッチパネルがハニカムコア又は波形コア５を使用して製造される場合においては、このパネルの一部に縦方向又は横方向にＶ字の溝状に切込みを入れ、構造の屈曲部を構成するためにこの溝の部分で曲げる際に、サンドイッチパネルを構成するコアの構造的な欠陥により、サンドイッチパネルに正確に切込みを入れ、又はこれを正確に曲げることができない。
【０００４】
たとえば、図７に示すように、サンドイッチパネルにハニカムコア５が挿入された場合においては、上側及び下側の金属又は非金属のプレート４，４’と、コア５とが、弱い粘着力しか持たない線状の被着体１２により接着されているので、このパネルにＶ字の溝状に切込みを入れ、溝の部分を曲げる際に、線状の被着体１２が容易に損傷を受け、剥離するのである。これにより、サンドイッチパネルの機能が低下する。また、ハニカムコア５を備えるサンドイッチパネルには、連続的なハニカム構造により、切込みを入れる加工が平板に対するよりも困難であるという欠点もある。
【０００５】
他方、図８に示すように、サンドイッチパネルに波形コア５が挿入された場合においては、このコア５の湾曲部と、上側及び下側のプレート４，４’とが同様に弱い粘着力の線状の被着体１２により接着されているので、サンドイッチパネルに切込みを入れ、曲げる際に、線状の被着体１２が容易に剥離し、これによりこのパネルの機能が損なわれ、低下する。
【０００６】
また、コア５が波形であるため、波形コア５を備えるサンドイッチパネルにＶ字状の溝８’を形成する際に、これが波形コア５の湾曲溝１０と合致することで、コア５によるプレート４，４’の支持機能が著しく低下する。
これにより、屈曲させた外側表面も鋭角とならず、又は滑らかとならない。
更に、屈曲部が波の山１２に合致する場合においては、波形部１１の全体が破断されることとなるため、屈曲部及びその外側表面が滑らかとならない。
【０００７】
従って、波形コア５が挿入されたサンドイッチパネルに対しては、縦方向又は横方向に自由に切込みを入れ、及び曲げることができず、曲げにより滑らかな外側表面を形成するには、溝８は、波に対して垂直な方向にのみ全体に亘り形成することができるに過ぎない。
本発明は、ハニカムコア又は波形コアを使用した従来のサンドイッチパネルの問題点を解決するものである。
【０００８】
特に、本発明の目的は、構造の屈曲部を構成するために屈曲させたサンドイッチパネルを作製する際に、サンドイッチパネルにＶ字状の溝を形成し、かつこれを容易に曲げることが可能なコアを使用したサンドイッチパネルのコア及びサンドイッチパネルを提供することである。
【課題を解決するための手段】
【０００９】
詳細には、本発明は、アルミニウムプレート、錫コーティングプレート、亜鉛コーティングプレート、ステンレス鋼プレート等の金属プレートから選択したいずれかの金属プレートに対し、絞りダイを使用した深絞り加工の手段によりプレスを施して、円錐状若しくは楕円形円錐状の窪み部、又は三方錐、正方錐若しくは八方錐等のピラミッド状の窪み部から選択した、平坦な底面を有する複数の窪み部を金属プレート上に形成することに特徴がある。ここにおいて、窪み部は、金属プレートの上方又は下方のいずれかのみ（たとえば、下向きに）に向けて沈み込ませるか、又は金属プレートから上方及び下方に交互に沈み込ませて、サンドイッチパネルのコアを形成する。また、得られたコアを使用して、典型的な作製プロセスによりサンドイッチパネルを製造する。
【発明を実施するための最良の形態】
【００１０】
以下に図面を参照して、本発明の実施の形態について説明する。
構造装飾用のサンドイッチパネルにおいて、ハニカムコア又は波形コアから選択したいずれかの金属コア５の上面及び下面には、上側及び下側の接着層３，３’が形成される。サンドイッチパネルは、これらの接着層３，３’に金属又は非金属のプレート４，４’が積層され、及び得られた積層体に加熱プレスが施されることにより形成される。
【００１１】
深絞りコア６及び得られたコア６を使用したサンドイッチパネルは、アルミニウムプレート、錫コーティングプレート、亜鉛コーティングプレート又はステンレス鋼プレート等の金属プレートから選択したいずれかの金属プレート１に、パンチャー１０１及びダイ１０２から構成される絞りダイ１００を使用した深絞り加工の手段によりプレスが施され、円錐状若しくは楕円形円錐状、又は三方錐、正方錐若しくは八方錐等のピラミッド状の窪み部等の様々なタイプの窪み部から選択した、平坦な底面９を有する多数の窪み部が金属プレート１上に形成される点に特徴があり、いずれかのタイプの多数の窪み部２を、金属プレート１の上面及び下面のいずれかの方向のみに所定の間隔で沈み込ませるか、あるいはいずれかのタイプの多数の上側窪み部２及び下側窪み部２’を、上方及び下方に交互に所定の間隔で沈み込ませて、サンドイッチパネルのコア６が形成される。得られた深絞りコア６を従来のコア５に代えて使用し、このコア６の上面及び下面に、エポキシ樹脂等の熱硬化性樹脂又はホットメルトタイプのポリエチレン、酢酸ビニル若しくはエチレン‐酢酸ビニル樹脂等の熱塑性樹脂（thermoplastic resins）の接着剤から選択したいずれかによる上側及び下側の接着層３，３’を形成し、更にこれらに対し、アルミニウム、ステンレス鋼若しくはチタニウムプレート等の金属プレート又はフェノール、メラミン若しくは尿素樹脂プレート若しくはガラス繊維強化プラスチック（ＦＲＰ）プレート等の非金属プレートから選択したいずれかのプレート４，４’を積層し、得られた積層体に加熱プレスを施して、サンドイッチパネルを形成する。
【００１２】
以上に述べた絞りダイ１００を使用した深絞り加工により製造されるサンドイッチパネルの深絞りコア６においては、絞りダイ１００を使用した深絞り加工の手段により金属プレート１にプレスがかけられ、平坦な底面９を有する円錐状、楕円形円錐状又はピラミッド状の窪み部から選択したいずれかのタイプの多数の窪み部が金属プレート１上に形成され、ここにおいて、多数の窪み部２が、下方又は上方のいずれかに一定の間隔で沈み込むか、あるいは多数の上側窪み部２及び下側窪み部２’が、下方又は上方に交互に一定の間隔で沈み込むこととなるので、このコア６を使用してサンドイッチパネルを製造した場合は、コア６の被着体とこれに接着される金属又は非金属のプレート４，４’とが広い面積で形成されるため、コア６とプレート４，４’とが剥離することがなく、強固に保たれる。
【００１３】
また、本発明に係るサンドイッチパネルにおいては、複数の窪み部２，２’が縦方向、横方向及び対角上に一定の間隔で形成されるので、このサンドイッチパネルにＶ字状の溝７，７’を形成し、構造の屈曲部に貼り付けるためにこれを曲げる際に、縦方向又は横方向等のあらゆる方向に溝の形成プロセスを容易に達成することができ、切込みによる溝７，７’の形態が均一となる。
【図面の簡単な説明】
【００１４】
【図１ａ】本発明に係るサンドイッチパネルのコアの平面図
【図１ｂ】本発明に係るサンドイッチパネルの他のコアの平面図
【図２ａ】本発明に係るサンドイッチパネルのコアの上方斜視図
【図２ｂ】本発明に係るサンドイッチパネルの他のコアの上方斜視図
【図３ａ】図２ａのコアの下方斜視図
【図３ｂ】図２ｂのコアの下方斜視図
【図４ａ】本発明に係るコアを使用したサンドイッチパネルの斜視図
【図４ｂ】本発明に係る他のコアを使用したサンドイッチパネルの斜視図
【図５ａ】曲げのための縦方向又は横方向の溝を形成した、本発明に係るサンドイッチパネルのコアの斜視図
【図５ｂ】曲げのための縦方向又は横方向の溝を形成した、本発明に係るサンドイッチパネルの他のコアの斜視図
【図６ａ】本発明に係るコアを作製するための絞りダイによるコアのモールディングの状態を示す断面図
【図６ｂ】本発明に係るコアを作製するための絞りダイによる他のコアのモールディングの状態を示す断面図
【図７】曲げのための縦方向又は横方向の溝が形成された、ハニカムコアが挿入された従来のサンドイッチパネル
【図８】曲げのための縦方向又は横方向の溝が形成された、波形コアが挿入された従来のサンドイッチパネル
【符号の説明】
【００１５】
１…プレート、３，３’…接着層、４，４’…プレート、５…金属コア、６…深絞りコア、７，７’ …溝、１００…絞りダイ、１０１…パンチャー、１０２…ダイ。
【図１ａ】
2007032258.tif 000003
【図１ｂ】
2007032258.tif 000004
【図２ａ】
2007032258.tif 000005
【図２ｂ】
2007032258.tif 000006
【図３ａ】
2007032258.tif 000007
【図３ｂ】
2007032258.tif 000008
【図４ａ】
2007032258.tif 000009
【図４ｂ】
2007032258.tif 000010
【図５ａ】
2007032258.tif 000011
【図５ｂ】
2007032258.tif 000012
【図６ａ】
2007032258.tif 000013
【図６ｂ】
2007032258.tif 000014
【図７】
2007032258.tif 000015
【図８】
2007032258.tif 000016